(57)【要約】【課題】正面パネルからの突出量を減らす。また、施錠の成否確認を視認性よく行なう。【解決手段】前端フランジの外周面と後面との交差角部に前方に向かって凹んだ係止溝を設け、保護カバーの内周面中間部に径内方向に向かって延びる係止突起を設け、係止突起と係止溝の弾性係合によって、保護カバーを前端フランジに固定する。ロックプレートの先端部前面に識別部を形成し、保護カバーの受穴及び前端フランジの鍵穴を通して、前記識別部を見るようにする。保護キャップの受穴の内周壁面を、軸方向後端から軸方向前端に向う程外側に開いた傾斜面に形成し、鍵穴の内周壁面に軸方向後端から軸方向前端に向う程外側に開いた傾斜面部または傾斜面を設ける。【選択図】図２５
2015098670.tif 000002
【特許請求の範囲】
【請求項１】
取付対象物の正面パネルの取付穴に嵌められ、操作ハンドルの鍵部が挿入される鍵穴を前端フランジに貫通して設けてあり、前記鍵穴を取り囲む内壁面側に錠止溝を設けてある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに固定され、操作ハンドルの前記鍵部が通過する受穴を前壁に貫通して
設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネとからなり、操作ハンドルの前記鍵部を差し込むことによって前記ロックプレートが軸方向に移動し、前記固定ハウジングに対する前記施錠軸の拘束を解除するようにした抜差し型ロックハンドル装置において、
前記前端フランジの外周面と後面との交差角部に前方に向かって凹んだ係止溝を設け、前記保護カバーの内周面中間部に径内方向に向かって延びる係止突起を設け、前記係止突起と前記係止溝の弾性係合によって、前記保護カバーを前記前端フランジに固定することを特徴とする抜差し型ロックハンドル装置。
【請求項２】
前記係止突起を前記保護カバーの内周面の前後方向の中間部に設け、前記保護カバーの内周面後端部に受溝を設け、前記固定ハウジングに嵌めたパッキングプレートの前面縁部によって、保護カバーの前記係止突起を押し当てるようにしたことを特徴とする、請求項１に記載の抜差し型ロックハンドル装置。
【請求項３】
取付対象物の正面パネルの取付穴に嵌められ、操作ハンドルの鍵部が挿入される鍵穴を前端フランジに貫通して設けてあり、前記鍵穴を取り囲む内壁面側に錠止溝を設けある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに固定され、操作ハンドルの前記鍵部が通過する受穴を前壁に貫通して設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネからなり、操作ハンドルの前記鍵部を差し込むことによって前記ロックプレートが軸方向に移動し、前記固定ハウジングに対する前記施錠軸の拘束を解除するようにした抜差し型ロックハンドル装置において、
前記前端フランジの後面に当接する前記ロックプレートの前面先端部に識別部を設け、前記操作ハンドルを回転操作して前記固定ハウジングに対する前記施錠軸の拘束を解除したとき、ロックプレートの前記識別部が前記前端フランジの後面側に隠蔽されるようにしたことを特徴とする抜差し型ロックハンドル装置。
【請求項４】
保護キャップの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しており、前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れるようにしたことを特徴とする、請求項３に記載の抜差し型ロックハンドル装置。
【発明の詳細な説明】
【技術分野】
【０００１】
本発明は、施錠成立後においては鍵部を有するハンドルがハウジングから抜き取られる抜差し型ロックハンドル装置に関するものである。
【背景技術】
【０００２】
このようなロックハンドル装置は、特許第２７２４４５０号公報に示すようによく知られているが、用途によってはハンドルが抜き取られるだけでは不十分な場合がある。
例えば駅ホームの転落防止柵設備では、車両への乗降扉の制御機器収容部の正面パネルにこのタイプのロックハンドル装置が装着されているが、この取付対象物の正面パネルより露出しているハウジングの前端フランジ
に乗降客の手が触れた時、静電気が飛ぶとの苦情が報告されている。 
この静電気対策のためにプラスチック製やシリコンゴム製の保護カバーを前端フランジに被せることが、特開２０１２−１５８９６３号公報によって提案されている。
【０００３】
しかしながら、この保護カバーは、前端フランジの前方から被せられて前端フランジの前面部と外周面部を覆う第１部品と、前端フランジの後方から第１部品の外側に嵌められる第２部品とによって構成されている。この第１部品の外周面の後端縁に径内方向に向かって延びる係止突起を設けあり、係止突起と前端フランジとの弾性係合は、係止突起が前端フランジの外周面と後面との交差角部を乗り越えてなされている。即ち、係止突起は、前端フランジの後面側に突出した状態で前端フランジに弾性係合している。
【０００４】
そして、第２部品は、環状部の前面が突出配置の係止突起の後面を突き押すようにハウジングに嵌められていろ。そのため、取付対象物の正面パネルからの保護カバーの合計の突出量が大きくなっており、混雑するホームにおいて乗降客が保護カバーに物理的接触する危険性がそれだけ高まることになる。
【０００５】
また、第２部品と正面パネルとの間に嵌められるパッキングの外周面が第２部品の外周面の延長線の内側に引っ込んでいるため、正面パネルと第２部品の間には、引っ込み空間が形成されることになり、この引っ込み空間に工具等を突き入れて、第２部品を破壊したり取り去ることができる。第２部品が取り去られると、第２部品で防護されている第１部品が無防備となる。このような状態では、露出した係止突起を外側に弾性変位させることによって、悪戯または悪意によって第１部品を前端フランジから取り去られる。
【０００６】
また、このような抜差し型ロックハンドル装置では、施錠成立後にハンドルがハウジングから抜き取られてしまうので、ハンドル非抜き取り型ロックハンドル装置のようにハンドルの回転位置を手掛かりとして、施錠の成否を確認することができない。
【先行技術文献】
【特許文献】
【０００７】
【特許文献１】特許第２７２４４５０号公報
【特許文献２】特開２０１２−１５８９６３号公報
【発明の概要】
【発明が解決しようとする課題】
【０００８】
解決しようとする第１の問題点は、保護カバーを含めて前端フランジの正面パネル前方への突出量をどうすれば減らせるかの点である。
【０００９】
解決しようとする第２の問題点は、保護カバーと正面パネルとの間に工具等を差し込める引っ込み空間をどうすれば作らないかの点である。
【００１０】
解決しようとする第３の問題点は、施錠の成否の確認をどうすれば視認性高く行えるかの点である。
【課題を解決するための手段】
【００１１】
請求項１の発明の特徴とするところは、取付対象物の正面パネルの取付穴に嵌められ、操作ハンドルの鍵部が挿入される鍵穴を前端フランジに貫通して設けてあり、前記鍵穴を取り囲む内壁面側に錠止溝を設けてある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに固定され、操作ハンドルの前記鍵部が通過する受穴を前壁に貫通して設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネとからなり、操作ハンドルの前記鍵部を差し込むことによって前記ロックプレートが軸方向に移動し、前記固定ハウジングに対する前記施錠軸の拘束を解除するようにした抜差し型ロックハンドル装置において、
前記前端フランジの外周面と後面との交差角部に前方に向かって凹んだ係止溝を設け、前記保護カバーの内周面中間部に径内方向に向かって延びる係止突起を設け、前記係止突起と前記係止溝の弾性係合によって、前記保護カバーを前記前端フランジに固定することである。
【００１２】
請求項２の発明の特徴とするところは、請求項１の発明の抜差し型ロックハンドル装置において、前記係止突起を前記保護カバーの内周面の前後方向の中間部に設け、前記保護カバーの内周面後端部に受溝を設け、前記固定ハウジングに嵌めたパッキングプレートの前面縁部によって、保護カバーの前記係止突起を押し当てるようにしたことである。
【００１３】
請求項３の発明の特徴とするところは、取付対象物の正面パネルの取付穴に嵌められ、操作ハンドルの鍵部が挿入される鍵穴を前端フランジに貫通して設けてあり、前記鍵穴を取り囲む内壁面側に錠止溝を設けある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに固定され、操作ハンドルの前記鍵部が通過する受穴を前壁に貫通して設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネからなり、操作ハンドルの前記鍵部を差し込むことによって前記ロックプレートが軸方向に移動し、前記固定ハウジングに対する前記施錠軸の拘束を解除するようにした抜差し型ロックハンドル装置において、
前記前端フランジの後面に当接する前記ロックプレートの前面先端部に識別部を設け、前記操作ハンドルを回転操作して前記固定ハウジングに対する前記施錠軸の錠止を解除したとき、ロックプレートの前記識別部が前記前端フランジの後面側に隠蔽される一方、前記操作ハンドルを回転操作して前記固定ハウジングに対する前記施錠軸の錠止を実行し、前記操作ハンドルを前記固定ハウジングから抜き取ったとき、前記識別部が保護カバーの前記受穴内に露出するようにしたことである。
【００１４】
請求項４の発明の特徴とするところは請求項３の発明の抜差し型ロックハンドル装置において、保護キャップの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しており、前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れることである。
【発明の効果】
【００１５】
請求項１の発明では、係止溝は、前端フランジの外周面と後面との交差角部に前方に向かって凹んで設けられており、係止突起は、保護カバーの内周面中間部に径内方向に向かって延びるように設けられているため、保護カバーを含めて前端フランジの正面パネル前方への突出量は、極限まで減少させることができ、例えば駅ホームの転落防止柵設備の制御機器収容部の正面パネルにこのロックハンドル装置に取付けたとき、混雑するホームで乗降客が保護カバーに物理的に接触する危険性を低下させることができる。
【００１６】
請求項２の発明では、係止突起を保護カバーの内周面の前後方向の中間部に設け、保護カバーの内周面後端部に受溝を設け、固定ハウジングに嵌めたパッキングプレートの前面縁部によって、保護カバーの係止突起を押し当てるようにしたので、保護カバーと正面パネルとの間に工具等を差し込める引っ込み空間を作ることがなく、工具等を突き入れによって保護カバーを破壊したり、前端フランジから保護カバーを取り去ることができない。
【００１７】
請求項３の発明では、前端フランジの後面に当接するロックプレートの前面先端部に識別部を設けてあり、操作ハンドルを回転操作して固定ハウジングに対する施錠軸の錠止を解除したとき、前記識別部が前端フランジの後面側に隠蔽する一方、前記操作ハンドルを回転操作して前記固定ハウジングに対する前記施錠軸の錠止を実行し、前記操作ハンドルを前記固定ハウジングから抜き取ったとき、前記識別部が保護カバーの前記受穴内に露出するようにしたので、施錠の成否の確認を視認性高く確実に行うことができる。
また、このように保護カバーの受穴と固定ハウジングの鍵穴自体が施錠確認表示窓を構成しており、施錠確認用表示窓を操作ハンドルの受穴とは別に保護カバーの前壁に設けたり、施錠確認用表示窓を鍵穴とは別や固定ハウジングの前端フランジに設ける必要がないため、機械的強度面における保護カバーの前壁や固定ハウジングの前端フランジの脆弱化を招くことがない。
さらにまた、このように鍵穴にロックプレートの識別部が見えるか見えないかによって施錠確認が行なえることの優位性は、人間工学的に言っても理に適っている。というのは、一般に施錠装置の操作上必須的に最も注視されるのは鍵穴であるが、本発明では、この鍵穴に現れる識別部を見るだけで施錠確認が瞬時に行なえるようになっているため、注意力が必然的に一箇所に集中できるからである。
施錠確認表示窓を鍵穴以外に別に設けた場合には、２箇所に注意を払わなければならず、その分だけ注意力が分散されてしまい、誤認識の危険性が高まるからである。
【００１８】
請求項４の発明では、前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れることを目視することによって、施錠確認を行なうものであるが、本発明では、保護キャップの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しているため、前記ロックプレートに対する操作者や管理者の視野が拡大されることになり、施錠の成否の確認が更に視認性高く確実に行えることになる。
また、保護カバーの受穴と固定ハウジングの鍵穴の内壁面に外開きの傾斜面や傾斜面部を形成してはあるが、上記のように保護カバーの受穴と固定ハウジングの鍵穴自体が施錠確認表示窓を構成しており、施錠確認用表示窓を操作ハンドルの受穴とは別に保護カバーの前壁に設けたり、施錠確認用表示窓を鍵穴とは別や固定ハウジングの前端フランジに設ける必要がないため、機械的強度面における保護カバーの前壁や固定ハウジングの前端フランジの必要以上の脆弱化を招くことがない。
さらにまた、このように鍵穴にロックプレートの識別部が見えるか見えないかによって施錠確認が行なえることの優位性は、人間工学的に言っても理に適っている。何故ならば、一般に施錠装置の操作上必須的に最も注視されるのは鍵穴であるが、本発明では、この鍵穴に現れる識別部を見るだけで施錠確認が瞬時に行なえるようになっているため、注意力が必然的に一箇所に集中できるからである。鍵穴と並行的に施錠確認表示窓を別に設けた場合には、２箇所に注意を払わなければならず、その分だけ注意力が分散され、誤認識の危険性が高まるからである。
【図面の簡単な説明】
【００１９】
【図１】図１は請求項１から請求項３の発明の実施例に係る抜差し型ロックハンドル装置の正面図であり、操作ハンドルがハウジングから抜き取られた施錠成立状態を示している。
【図２】図２は図１のロックハンドル装置の右側面図である。
【図３】図３は図１のロックハンドル装置の背面図である。
【図４】図２は図１のＡ−Ａ線断面図である。
【図５】図５は図１のロックハンドル装置に用いた固定ハウジングの正面図である。
【図６】図６は図５の固定ハウジングの右側面図である。
【図７】図７は図５の固定ハウジングの背面図である。
【図８】図８は図５のＢ−Ｂ線断面図である。
【図９】図９は図５のＣ−Ｃ線断面図である。
【図１０】図１０は図1のロックハンドル装置に用いた施錠軸の正面図である。
【図１１】図１１は図１０の施錠軸の右側面図である。
【図１２】図１２は図１０の施錠軸の背面図である。
【図１３】図１３は図１０のＤ−Ｄ線断面図である。
【図１４】図１４は図１のロックハンドル装置に用いた保護カバーの正面図である。
【図１５】図１５は図１４の保護カバーの背面図である。
【図１６】図１６は図１４のＥ−Ｅ線断面図である。
【図１７】図１７は図１４のＦ−Ｆ線断面図である。
【図１８】図１８は図１のロックハンドル装置に用いたパッキングの正面図である。
【図１９】図１９は図１８のＧ−Ｇ線断面図である。
【図２０】図２０は図１のロックハンドル装置に用いたロックプレートの正面図である。
【図２１】図２１は図２０のロックプレートの底面図である。
【図２２】図２２は図１７のＨ−Ｈ線断面図である。
【図２３】図２３は図１のロックハンドル装置に用いた操作ハンドルの右側面図である。
【図２４】図２４は図２３のＩ−Ｉ線断面図である。
【図２５】図２５は請求項４発明の実施例に係る抜差し型ロックハンドル装置の正面図であり、操作ハンドルがハウジングから抜き取られた施錠成立状態を示している。
【図２６】図２６は図２５のロックハンドル装置の右側面図である。
【図２７】図２７は図２５のロックハンドル装置の背面図である。
【図２８】図２８は図２５のＪ−Ｊ線断面図である。
【図２９】図２９は図２５のＫ−Ｋ線断面図であり、保護カバー及びパッキングの全部と固定ハウジングの一部を断面で示してある。
【図３０】図３０は図２５のロックハンドル装置に用いた固定ハウジングの正面図である。
【図３１】図３１は図３０の固定ハウジングの右側面図である。
【図３２】図３２は図３０の固定ハウジングの背面図である。
【図３３】図３３は図３０のＬ−Ｌ線断面図である。
【図３４】図３４は図３０のＭ−Ｍ線断面図である。
【図３５】図３５は図２５のロックハンドル装置に用いた施錠軸の正面図である。
【図３６】図３６は図３５の施錠軸の右側面図である。
【図３７】図３７は図３５の施錠軸の背面図である。
【図３８】図３８は図３５のＮ−Ｎ線断面図である。
【図３９】図３９は図２５のロックハンドル装置に用いた保護カバーの正面図である。
【図４０】図４０は図３９の保護カバーの背面図である。
【図４１】図４１は図３９のＯ−Ｏ線断面図である。
【図４２】図４２は図３９のＰ−Ｐ線断面図である。
【図４３】図４３は図４０のＱ−Ｑ線断面図である。
【図４４】図４４は図２５のロックハンドル装置に用いたパッキングプレートの正面図である。
【図４５】図４５は図４４のＲ−Ｒ線断面図である。
【図４６】図４７は図２５のロックハンドル装置に用いたロックプレートの正面図である。
【図４７】図４７は図４６のロックプレートの底面図である。
【図４８】図４８は図４６のＳ−Ｓ線断面図である。
【図４９】図４９は保護シートの正面図である。
【図５０】図５０は図２５のロックハンドル装置に用いた操作ハンドルの右側面図である。
【図５１】図５１は図５０のＴ−Ｔ線断面図である。
【発明を実施するための形態】
【００２０】
保護カバーを単一部材で構成し、係止突起の形成位置を前方移動させることによって、正面パネルからの突出量を減らした。パッキングプレートを保護カバーの後部空間に収容することによって、保護カバーと正面パネルとの間に工具等の差込みを許す引っ込み空間が出来ないようにした。また、ロックプレートの正面端部に識別部を設けることによって、施錠の成否の確認を保護カバーの受穴および固定ハウジングの鍵穴を通して視認性高く行なえるようにした。
【実施例１】
【００２１】
図１から図２４に示した実施例では、本発明の抜き差し型ロックハンドル装置は、固定ハウジング１０と施錠軸３０と操作ハンドル４０と保護カバー５０とロックプレート６０とパッキングプレート７０を主要構成部品とする。
固定ハウジング１０の円筒状本体１１の外周面にはねじ山１２が形成され、円筒状本体１１の外周面両側には平行直線面部１３が形成され、円筒状本体１１の横断面は小判形状になっている。取付対象物８０の正面パネル８１の取付穴８２は同じく小判形状に貫通して設けられ、固定ハウジング１０は取付穴８２に回転不能に嵌められ、ねじ山１２に嵌められた六角ナット９０によってパッキングプレート７０及びバネリング９２を介して正面パネル８１に締付け固着されている。
【００２２】
このとき、エチレンプロピレンゴム製のパッキングプレート７０は、正面パネル８１の前面８３と固定ハウジング１０の前端フランジ１４の後面１５との間で適度に圧縮され、取付穴８２を経由した取付対象物８０内への水の侵入を防止している。パッキングプレート７０は小判形状の貫通穴７１を包囲して前面７２と後面７３に防水性を高めるための環状リブ７４，７５を設けてある。パッキングプレート７０は締付け時にその略全体が保護カバー５０の短円筒状スカート部５１内に押し込まれ、保護カバー５０及び前端フランジ１４と正面パネル８１の前面８３との間に、工具等が差し込まれる危険性のある引っ込み空間を作ることがない。静電気対策のためにポリカーボネート製とした保護カバー５０は、前端フランジ１４の前面部及び外周面部の全体に被せられる。
【００２３】
保護カバー５０には、短円筒状スカート部５１の内周面の中間位置に同一直径方向に上方１個の係止突起５２aと下方２個の係止突起５２b,５２c が設けられている。下方２個の係止突起５２ｂと５２cの間には水抜き用切欠５３が設けられている。固定ハウジング１０の前端フランジ１４の後面１５と外周面１６の交差角部には、上下二個の係止溝１７a,１７bが設けられており、下側の係止溝17ｂの中央部には水抜き溝１８が設けられている。
保護カバー５０は、上方１個の係止突起５２aを上方の係止溝１７aに弾性係合させ、下方２個の係止突起５２b，５２cを下方の係止溝１７ｂに弾性係合させることによって、前端フランジ１３に固定される。この両者の弾性係合によって、保護カバー５０は固定ハウジング１０に対する回転を阻止され、保護カバー５０の十文字状の受穴５５と固定ハウジング１０の十文字状の鍵穴２０は常に互いに整合した位置に保持されている。受穴５５は保護カバー５０の前壁５５の中央部に貫通して設けられ、鍵穴２０は前端フランジ１４の中央部に貫通して設けられている。パッキングプレート７０の前面７２にある環状リブ７４は、前記３個の係止突起５２a，５２b, ５２cの後面部を押しており、前記係止突起５２aと係止溝１７aとの弾性係合、前記係止突起５２b,５２cと係止溝１７bとの弾性係合は、強化されている。
保護カバー５０の前壁５４に設けられた受穴５５は十文字状に形成され、上下の第一分岐部５６と第三分岐部５８は、左右の第二分岐部５７と第四分岐部５９よりも長くなっている。
【００２４】
固定ハウジング１０の前端フランジ１４に設けられた鍵穴２０は十文字状に形成され、上下の第一分岐部２５と第三分岐部２７は、左右の第二分岐部２６と第四分岐部２８よりも長くなっている。固定ハウジング１０内部には、鍵穴２０の延長空間を取り囲むように錠止筒部２１が設けられ、錠止筒部２１には十文字状に４個の錠止溝２２a,２２b,２２c,２２dを設けてある。施錠軸３０は、固定ハウジング１０の円筒状本体１１に回転可能に嵌挿され、常法に従って止め輪１１０によって前後軸方向への移動を阻止されている。常法に従って施錠軸の後部の円周溝１１１にはＯーリング１１２が挿入されている。
施錠軸３０の前半部分は小径軸部３０aと大径軸部３０b
とによって構成されており、小径軸部３０aと大径軸部３０bには９０度間隔に４個の施錠溝３１a,３１b,３１c,３１dを十文字状に設けてある。施錠軸３０の小径軸部３０aは、固定ハウジング１０の前記錠止筒部２１に嵌め込まれており、錠止筒部２１の前記錠止溝２２a,２２b,２２c,２２aと施錠軸３０の前記小径軸部３０aにある施錠軸３１a,３１b,３１c,３１dは互いに連通している。
【００２５】
円筒状本体１１の後端面には、常法に従って二個の回転止め用突起２３，２４が設けられている、施錠軸３０の後端角軸部３２には回転角度規制板３３が嵌められており、回転角度規制板３３が回転止め用突起２３，２４に打ち当たることによって、施錠軸３０の回転角度は施錠方向及び開錠方向ともに９０度に規制されている。後端角軸部３２には常法に従って板状の施錠部材３４が嵌められており、平座金３７とバネ座金３８を介して六角ボルト３５によって施錠軸３０に固着されている。
固定ハウジング１０の円筒状本体１１内には、十文字状のロックプレート６０が嵌挿されている。ロックプレート６０の４個の分岐片６１，６２，６３，６４の内、上側の第一分岐片６１と下側の第三分岐片６３は、右側の第二分岐片６２および左側の第四分岐片６４よりも長くなっている。操作ハンドル４０の鍵部４１を抜き取った状態においては、ロックプレート６０の第一分岐片６１と第三分岐片６３は、前記錠止筒部２１に嵌合している小径軸部３０a において、固定ハウジング１０側の錠止溝２２a, ２２cと施錠軸３０側の施錠溝３１a, ３１c
の両者に係合することによって、施錠軸３０を固定ハウジング１０に対して回転不能に錠止している。ロックプレート６０は施錠軸３０に装着した圧縮コイルバネよりなるバネ部材９１によって、前端フランジ１４の後面に向かって移動付勢されている。
【００２６】
操作ハンドル４０の鍵部４１の上下２個の直径方向突起部４２a,４２bの内、上方の直径方向突起部４２aを保護カバー５０の受穴５５の第一分岐部５６と前端フランジ１４の鍵穴２０の第一分岐部２５に位置合わせする一方、操作ハンドル４０の鍵部４１の下方の直径方向突起部４２bを保護カバー５０の受穴５５の第三分岐部５８と前端フランジ１４の鍵穴２０の第三分岐部２５に位置合わせして、操作ハンドル４０の鍵部４１を固定ハウジング１０に所定深さまで差し込むと、ロックプレート６０が鍵部２１に押されて軸方向に移動し、ロックプレート６０の第一分岐片６２と第三分岐片６３が固定ハウジング１０の前記錠止筒部２１の錠止溝２２a,２２cと施錠軸３０の前記小径軸部３０aにある施錠軸３１a,３１cから押し出されて、施錠軸３０の前記大径軸部３０bにある施錠溝３１a,３１cに押し込まれる。これによって、固定ハウジング１０に対する施錠軸３０の錠止が解除される。
この状態において操作ハンドル４０を９０度解錠方向に回すと、ロックプレート６０の各分岐片６１，６２，６３，６４の側面が施錠軸３０の各施錠溝３１a, ３１b, ３１c, ３１dの内壁面を押すため、施錠軸３０が回転させられる。これにより、施錠部材３４は解錠位置まで回され、取付対象物８０の固定枠体に対する正面パネル８１の錠止が解除される。
【００２７】
ロックプレート６０には、施錠軸３０の回転角度に合致した角度間隔を置いて識別部６５が設けられる。図示の実施例では、上側の第一分岐片６１と下側の第三分岐片６３の先端部前面に識別部６５が設けられている。これら識別部６５は、各分岐片６１，６３の先端部前面に切欠部６６を設け、該切欠部６６を黒色や赤色、緑色等の適当な塗料を面一に充填することによって形成されている。
操作ハンドル６０を９０度回転操作して固定ハウジング１０に対する施錠軸３０の錠止を解除したとき、第一分岐片６１と第三分岐片６３の各識別部６５が前端フランジ１４の後面側に隠蔽される。操作ハンドル６０を９０度逆に回転操作して固定ハウジング１０に対する施錠軸３０の錠止を再開したとき、第一分岐片６１と第三分岐片６３の各識別部６５は、前端フランジ１４の後面側から出て、固定ハウジング１０の鍵穴２０の直後に露出される。この露出した識別部６５によって、ロックハンドル装置の操作者ないしは管理者は、施錠軸３０が正規の施錠成立位置まで正確に戻されたことを確認できる。
【００２８】
これら識別部６５は、固定ハウジング１０の前端フランジ１４の後面に押し当てられているロックプレート６０の前面に形成され、前端フランジ１４の前後方向肉厚及び保護カバ５０の前後方向肉厚の合計に相当する距離を置いて、鍵穴２０及び受穴５５内に露出しているため、前方からの視認性に優れており、施錠の成否確認を間違いなく行なえる。
このように識別部６５を有する上下の第一分岐片６１と第三分岐６３が鍵穴２０と前後に位置を合わせるため、ロックプレート６０が鍵穴２０から抜け出ないように、ロックプレート６０の第一分岐片６１，第二分岐片６２，第三分岐片６３，第四分岐片６４は、鍵穴２０の第一分岐部２５，第二分岐部２６，第三分岐部２７，第四分岐部２８よりも一回り大きく形成されている。
ロックプレート６０の中心部には、施錠軸３０の中心軸部３６が挿入されるガイド穴６９を貫通して設けてある。
【実施例２】
【００２９】
図２５から図５１に示した実施例では、抜き差し型ロックハンドル装置は、固定ハウジング１０と施錠軸３０と操作ハンドル４０と保護カバー５０とロックプレート６０とパッキング７０を主要構成部品とする。
固定ハウジング１０の円筒状本体１１の外周面にはねじ山１２が形成され、円筒状本体１１の外周面両側には平行直線面部１３が形成され、円筒状本体１１の横断面は小判形状になっている。取付対象物８０の正面パネル８１の取付穴８２は同じく小判形状に貫通して設けられ、固定ハウジング１０は取付穴８２に回転不能に嵌められ、ねじ山１２に嵌められた六角ナット９０によって正面パネル８１にパッキングプレート７０および保護シート１００を介して正面パネル８１に締付け固着されている。保護シート１００は円筒状本体１１が嵌められる小判形状の貫通孔１０１を有する。
【００３０】
このとき、エチレンプロピレンゴム製のパッキングプレート７０は、正面パネル８１の前面８３と固定ハウジング１０の前端フランジ１４の後面１５との間で適度に圧縮され、取付穴８２を経由した取付対象物８０内への水の侵入を防止している。パッキングプレート７０は小判形状の貫通穴７１を包囲して前面７２と後面７３に防水性を高めるための環状リブ７４，７５を設けてある。パッキングプレート７０は締付け時にその略全体が保護カバー５０の短円筒状スカート部５１内に押し込まれ、保護カバー５０及び前端フランジ１４と正面パネル８１の前面８３との間に、工具等が差し込まれる危険性のある引っ込み空間を作ることがない。静電気対策のためにポリカーボネート製とした保護カバー５０は、前端フランジ１４の前面部及び外周面部の全体に被せられる。
操作ハンドル４０の回転主軸４３の先端部には常法に従って鍵部４２が設けられ、鍵部２４は一対の直径方向突起部４２a, ４２b で構成されている。鍵部２４の中央には、施錠軸３０の中心軸３６が入り込む先端穴部４５を設けてある。施錠軸３０の後端角軸部３２には回転角度規制板３３が嵌められており、回転角度規制板３３が回転止め用突起２３，２４に打ち当たることによって、施錠軸３０の回転角度は施錠方向及び開錠方向ともに９０度に規制されている。後端角軸部３２には常法に従って板状の施錠部材３４が嵌められており、平座金３７及びバネ座金３８を介して六角ボルト３５によって施錠軸３０に固着されている。
【００３１】
固定ハウジング１０の前端フランジ１４に設けられた鍵穴２０は十文字状に形成され、上下の第一分岐部２５と第三分岐部２７は、左右の第二分岐部２６と第四分岐部２８よりも長くなっている。固定ハウジング１０内部には、鍵穴２０の延長空間を取り囲むように錠止筒部２１が設けられ、錠止筒部２１には十文字状に４個の錠止溝２２a,２２b,２２c,２２dを設けてある。施錠軸３０は、固定ハウジング１０の円筒状本体１１に回転可能に嵌挿され、常法に従って止め輪１１０によって前後軸方向への移動を阻止されている。常法に従って施錠軸の後部の円周溝１１１にはＯーリング１１２が挿入されている。
施錠軸３０の前半部分は小径軸部３０aと大径軸部３０bとによって構成されており、小径軸部３０aと大径軸部３０bには、９０度間隔を置いて４個の施錠溝３１a,３１b,３１c,３１dを十文字状に設けてある。
施錠軸３０の小径軸部３０aは、固定ハウジング１０の前記錠止筒部２１に嵌め込まれており、錠止筒部２１の前記錠止溝２２a,２２b,２２c,２２aと施錠軸３０の前記小径軸部３０aにある施錠軸３１a,３１b,３１c,３１dは、互いに連通している。
【００３２】
前端フランジ１４には、前端フランジ１４の外周面１６と後面１５との交差角部に前方に向かって凹んでいる上下左右４個の係止溝１７a,１７b,１７c,１７dを９０度間隔で設けてある。上側の係止溝１７aの開き角度と下側の係止溝１７cの開き角度は同じであり、下側の係止溝１７cの中央部には水抜溝１８を設けてある。
保護カバー５０には、短円筒状スカート部５１の内周面の中間位置に同一直径方向に上方１個の係止突起５２aと下方２個の係止突起５２b,５２cが設けられ、さらに、前者より９０度の間隔を置いて、右方に２個の係止突起５２d,５２e、左方に２個の係止突起５２f,５２gを設けてある。上側１個の係止溝１７aに上側１個の係止突起５２aが弾性係合し、下側１個係止溝１７bに下側２個の係止突起５２b,５２cが弾性係合し、右側１個の係止溝１７cに右側２個の係止突起５２d,５２eが弾性係合し、左側１個の係止溝１７dに左側の２個の係止突起５２f,５２gがそれぞれ弾性係合することによって、保護カバー５０の受穴５５と固定ハウジング１０の鍵穴２０の位相を相互に合致させた状態において、保護カバー５０が前端フランジ１４に固定される。下側の係止突起５２d,５２eの間には水抜き用切欠５３が設けられている。実施例１と比較して、係止溝および係止突起の設置数が増加しているため、保護カバー５０は固定ハウジング１０により堅固に装着される。
【００３３】
円筒状本体１１の後端面には、常法に従って二個の回転止め用突起２３，２４が設けられている、施錠軸３０の後端角軸部３２には回転角度規制板３３が嵌められており、回転角度規制板３３が回転止め用突起２３，２４に打ち当たることによって、施錠軸３０の回転角度は施錠方向及び開錠方向ともに９０度に規制されている。後端角軸部３２には常法に従って板状の施錠部材３４が嵌められており、平座金３７とバネ座金３８を介して六角ボルト３５によって施錠軸３０に固着されている。
固定ハウジング１０の円筒状本体１１内には、十文字状のロックプレート６０が嵌挿されている。ロックプレート６０の４個の分岐片６１，６２，６３，６４の内、上側の第一分岐片６１と下側の第三分岐片６３は、右側の第二分岐片６２および左側の第四分岐片６４よりも長くなっている。操作ハンドル４０の鍵部４１を抜き取った状態においては、ロックプレート６０の第一分岐片６１と第三分岐片６３は、固定ハウジング１０の前記錠止筒部２１の錠止溝２２a, ２２cと施錠軸３０の前記小径軸部３０aにある施錠溝３１a,３１cに係合することによって、施錠軸３０を固定ハウジング１０に対して回転不能に錠止している。ロックプレート６０は施錠軸３０に装着した圧縮コイルバネよりなるバネ部材９１によって、前端フランジ１４の後面に向かって移動付勢されている。
【００３４】
操作ハンドル４０の鍵部４１の上下２個の直径方向突起部４２a, ４２bの内、上方の直径方向突起部４２a を保護カバー５０の受穴５５の第一分岐部５６と前端フランジ１４の鍵穴２０の第一分岐部２５に位置合わせする一方、操作ハンドル４０の鍵部４１の下方の直径方向突起部４２b を保護カバー５０の受穴５５の第三分岐部５８と前端フランジ１４の鍵穴２０の第三分岐部２５に位置合わせして、操作ハンドル４０の鍵部４１を固定ハウジング１０に所定深さまで差し込むと、ロックプレート６０が鍵部２１に押されて軸方向に移動し、ロックプレート６０の第一分岐片６２と第三分岐片６３が固定ハウジング１０の錠止筒部２１の錠止溝２２a,溝２２cと施錠軸３０の前記小径軸部３０aにある施錠軸３１a,３１cから押し出されて、施錠軸３０の前記大径軸部３０bにある施錠溝３１aと施錠溝３１cに押し込まれる。これによって、固定ハウジング１０に対する施錠軸３０の錠止が解除される。前記所定の深さまでとは、図示の実施例では、操作ハンドル４０の回転主軸４３の位置決めリング部４４が保護カバー５０の前壁５４に突き当たるまでである。
この状態において操作ハンドル４０を９０度解錠方向に回すと、ロックプレート６０の各分岐片６１，６２，６３，６４の側面が施錠軸３０の各施錠溝３１a, ３１b, ３１c, ３１dの内壁面を押すため、施錠軸３０が回転させられる。これにより、施錠部材３４は解錠位置まで回され、取付対象物８０の固定枠体に対する正面パネル８１の錠止が解除される。
【００３５】
ロックプレート６０には、固定ハウジング１０の前端フランジ１４の後面に隠れる位置に識別部６５を設けてある。本実施例では、第一分岐片６１と第三分岐片６３の先端部前面に設けてある。ロックプレート６０の上下一対の分岐片６１, ６３は左右一対の分岐片６２，６４よりも長くなっている。ロックプレート６０の中心部には、施錠軸３０の中心部３６が挿入されるガイド穴６９を貫通して設けてある。
操作ハンドル４０を回転操作して固定ハウジング１０に対する施錠軸３０の錠止を実行したとき、ロックプレート６０の前記識別部６５が前端フランジ１４の後面側に隠蔽される一方、操作ハンドル４０を抜き取って、ロックプレート６０によって施錠軸３０を固定ハウジング１０に対して錠止したとき、ロックプレート６０の識別部６５が前端フランジの鍵穴２０及び保護カバー５０の受穴５６内に見える。
保護カバー５０の受穴５５は前壁５４の中央部に前後に貫通して設けられ、保護カバー５０の十文字状の受穴５６と固定ハウジング１０の十文字状の鍵穴２０は常に互いに整合した位置に保持されている。受穴５６は保護カバー５０の前壁５４の中央部に貫通して設けられている。鍵穴２０は前端フランジ１４の中央部に前後に貫通して設けられている。十文字状の鍵穴２０は９０度の角度を置いて配置された上下左右４個の分岐部２５，２６，２７，２８で構成されている。鍵穴２０の上下一対の分岐部２５,２７の長さは、左右一対の分岐部２６，２８よりも長くなっている。
鍵穴２０の第一分岐部２５の相隣接する三つの内周壁面には、前端フランジ１４の前面１４aと約１３５度で交叉する傾斜面部２５aが形成されている。鍵穴２０の第二分岐部２６の相隣接する三つの内周壁面には、前端フランジ１４の前面１４aと約１３５度で交叉する傾斜面部２６aが形成されている。鍵穴２０の第三分岐部２７の相隣接する三つの内周壁面には、前端フランジ１４の前面１４aと約１３５度で交叉する傾斜面部２７aが形成されている。鍵穴２０の第四分岐部２８の相隣接する三つの内周壁面には、前端フランジ１４の前面１４aと約１３５度で交叉する傾斜面部２８aが形成されている。
【００３６】
十文字状の受穴５５は９０度の角度を置いて配置された上下左右４個の分岐部５６，５７，５８，５９で構成されている。受穴５５の上下一対の分岐部５６，５８の長さは、上下一対の分岐部５７，５９よりも長くなっている。
受穴５５の第一分岐部５６の相隣接する三つの内周壁面には、前壁５４の前面５４aと約１３５度で交叉する傾斜面５６aが、前壁５４の全肉厚にわたって形成されている。受穴５５の第二分岐部５７の相隣接する三つの内周壁面には、前壁５４の前面５４aと約１３５度で交叉する傾斜面５７aが、前壁５４の全肉厚にわたって形成されている。受穴５５の第三分岐部５８の相隣接する三つの内周壁面には、前壁５４の前面５４aと約１３５度で交叉する傾斜面部５８が、前壁５４の全肉厚にわたって形成されている。受穴５５の第四分岐部５９の相隣接する三つの内周壁面には、前壁５４の前面５４aと約１３５度で交叉する傾斜面部５９aが、前壁５４の全肉厚にわたって形成されている。
鍵穴２０の前記した４個の傾斜面部２５a，２６a，２７a，２８aは、受穴５５の前記した４個の傾斜面５６a，５７a，５８a，５９aの延長線上にあるか、延長線より少し引きこんだ位置にある。これはロックプレート６０の識別部６５への視野を広く確保するためである。
固定ハウジング１０の円筒状本体１１に後方より嵌合されるパッキングプレート７０の前面７２にある環状リブ７４は、係止突起５２a, ５２b, ５２c, ５２d, ５２e, ５２f，５２gの後面部を押しており、前記係止突起と前記係止溝の係合を強化している。
【００３７】
この位置においては、操作ハンドル４０の前記直径方向突起部４２a,４２bが前端フランジ１４の裏面側に位置しているため、操作ハンドル４０の鍵部４１を固定ハウジング１０の鍵穴２０から抜き取れない。そこで、操作ハンドル４０を手前に引くことによって取付対象物８０の正面パネル８１を開放操作することができる。取付対象物８０内の収納機器に対する所要の処理を実行した後、正面パネル８１を閉鎖操作し、最後に操作ハンドル４０に９０度逆に回すと、施錠部材３４によって正面パネル８１は取付対象物８０に再び錠止される。
この位置においては、施錠軸３０の各施錠溝３１a, ３１b, ３１c, ３１d が固定ハウジング１０の各錠止溝３１a, ３１b, ３１c, ３１d と正対しているため、ロックプレート６０は前端フランジ１４に向って移動し、第一分岐片６１と第三分岐片６３が、施錠軸３０の小径軸部３０aにおいて、固定ハウジング１０の錠止溝２２a,２２ｃと係合する。
【００３８】
本実施例では、ロックプレート６０の第一分岐片６１と第三分岐片６３の先端部前面に凹部６１a, ６３aが設けられ、これら凹部底面に識別部６５となる有色シールが貼付けられている。
尚、ロックプレート６０は２枚の構成材の張り合わせ構造とし、後ろ側の構成材の両端部を前側の構成材より突出させて、これら突出端部前面に着色識別部を焼き付けることもできる。単に上記分岐片の先端部前面に塗料を付して識別部を設けた場合には、長年使用した場合、識別部が磨滅して、初期の識別機能を喪失する恐れがある。
本実施例では、凹部６１a, ６３aの底面に有色シールを貼り付けたので、識別部６５は磨滅に対して強い。また、後ろ側の構成材の色を前側の構成材や周囲の構成部品すなわち固定ハウジング１０や保護カバー５０とは別異の色とし、これ自体を識別手段としたときには、磨滅という経年変化による識別機能の喪失がない。
【００３９】
操作ハンドル６０を所定深さまで差し込んで解錠方向に９０度回転操作したとき、回転終端において、ロックプレート６０の第１分岐片６１と第三分岐片６３の各識別部６５が前端フランジ１４の後面側に隠蔽される。
操作ハンドル６０を施錠方向に９０度逆に回転操作すると、回転終端において、施錠軸３０の四つの施錠溝３１a, ３１b, ３１c, ３１d が固定ハウジング１０の四つの錠止溝２２a, ２２b, ２２c, ２２d に正対する位置に戻る。この施錠位置において、操作ハンドル４０を固定ハウジング１０から引き抜くとき、操作ハンドル４０の鍵部４１の直径方向突起部４２a, ４２bは、固定ハウジング１０の鍵穴２０の第一分岐部２６と第三分岐部２８を通過する。操作ハンドル６０を固定ハウジング１０の鍵穴２０及び保護カバー５０の受穴５５から抜き取ると、バネ部材９１の移動付勢によって前端フランジ１４の後面に向かって前進し、ロックプレート６０の第一分岐片６１と第三分岐片６３が固定ハウジング１０の前記錠止筒部２１の錠止溝２２a,２２cと施錠軸３０の前記小径軸部３０aの施錠溝３１a,３１cに係合するため、施錠軸３０は固定ハウジング１０に対して再び錠止される。
【００４０】
このように固定ハウジング１０に対する施錠軸３０の錠止を実行して、操作ハンドル６０の鍵部４１を固定ハウジング１０の鍵穴２０及び保護カバー５０の受穴５５から抜き取るとき、ロックプレート６０の前記した分岐片６１，６３の識別部６５は、前端フランジ１４の後面側から出て、固定ハウジング１０の鍵穴２０および保護カバー５０の受穴５５の直後に露出される。この露出した識別部６５によって、ロックハンドル装置の操作者ないしは管理者は、施錠軸３０が正規の施錠位置まで正確に戻されたことを確認できる。
【００４１】
これら識別部６５は、解錠位置において固定ハウジング１０の前端フランジ１４の後面に押し当てられているロックプレート６０の前面に形成されており、前端フランジ１４の前後方向肉厚と保護カバー５０の前壁５４の前後方向肉厚の合計に相当する距離を置いて露出しているため、視認性に優れており、施錠の成否確認を間違いなく行なえる。
このように識別部６５を有する上下一対の分岐片６１，６３が鍵穴２０と前後に位置を合わせるため、ロックプレート６０が鍵穴２０から抜け出ないように、ロックプレート６０の各分岐片６１，６２，６３，６４は、鍵穴２０の各分岐部２５，２６，２７，２８よりも一回り大きく形成されている。
【００４２】
本実施例では、前端フランジ１４の前記係止溝１７a，１７b, １７c, １７dは、前端フランジ１４の外周面１６と後面１５との交差角部に前方に向かって凹んで設けられており、保護カバー５０の前記係止突起５２a，５２b, ５２c, ５２d,５２e, ５２f, ５２gは、保護カバー５０の内周面中間部に径内方向に向かって延びるように設けられているため、保護カバー５０を含めて前端フランジ１４の正面パネル８１前方への突出量は、極限まで減少させることができ、例えば駅ホームの転落防止柵設備の制御機器収容部の正面パネル８１にこのロックハンドル装置に取付けたとき、混雑するホームで乗降客が保護カバーに物理的に接触する危険性を低下させることができる。
【００４３】
また、本実施例では、前記係止突起を保護カバー５０の内周面の前後方向の中間部に設け、前記係止溝を前端フランジ１４の外周面後端部に設け、固定ハウジング１０に嵌めたパッキング７０の前面縁部によって、保護カバー５０の係止突起５２，５３を押し当てるようにしたので、保護カバー５０と正面パネル８０との間に工具等を差し込める引っ込み空間を作ることがなく、工具等を突き入れによって保護カバー５０を破壊したり、前端フランジ１４から保護カバー５０を取り去ることができない。
【符号の説明】
【００４４】
１０  固定ハウジング
１１  固定ハウジングの円筒状本体
１２  円筒状本体のねじ山
１３  円筒状本体の平行直線面部
１４  固定ハウジングの前端フランジ
１５  前端フランジの後面
１６  前端フランジの外周面
１７a  前端フランジの係止溝
１７b  前端フランジの係止溝
１７c  前端フランジの係止溝
１７d  前端フランジの係止溝
１８  前端フランジの水抜き溝
２０  固定ハウジングの鍵穴
２１  固定ハウジングの錠止筒部
２２a  固定ハウジングの錠止溝
２２b  固定ハウジングの錠止溝
２２c  固定ハウジングの錠止溝
２２d  固定ハウジングの錠止溝
２３  円筒状本体の回転止め用突起
２４  円筒状本体の回転止め用突起
２５  鍵穴の第一分岐穴部
２５a  鍵穴の第一分岐部の内周壁面の斜面部
２６  鍵穴の第二分岐部
２６a  鍵穴の第二分岐部の内周壁面の斜面部
２７  鍵穴の第三分岐部
２７a  鍵穴の第三分岐部の内周壁面の斜面部
２８  鍵穴の第四分岐部
２８a  鍵穴の第四分岐部の内周壁面の斜面部
３０  施錠軸
３１a  施錠軸の施錠溝
３１b  施錠軸の施錠溝
３１c  施錠軸の施錠溝
３１d  施錠軸の施錠溝
３２  施錠軸の後端角軸部
３３  回転角度規制板
３４  施錠部材
３５  六角ボルト
３６  施錠軸の中心軸
３７  平座金
３８  バネ座金
４０  操作ハンドル
４１  操作ハンドルの鍵部
４２a  鍵部の直径方向突起部
４２b  鍵部の直径方向突起部
４３  操作ハンドルの回転主軸
４４  回転主軸の位置決めリング部
４５  回転主軸の先端穴部
５０  保護カバー
５１  保護カバーの短円筒状スカート部
５２a  保護カバーの係止突起
５２b  保護カバーの係止突起
５２c  保護カバーの係止突起
５２d  保護カバーの係止突起
５２e  保護カバーの係止突起
５２f  保護カバーの係止突起
５２g  保護カバーの係止突起
５３  保護カバーの水抜き用切欠
５４  保護カバーの前壁
５４a  前壁の前面
５５  保護カバーの受穴
５６  受穴の第一分岐部
５６a  受穴の第一分岐部の内周壁面の傾斜面 
５７  受穴の第二分岐部
５７a  受穴の第二分岐部の内周壁面の傾斜面
５８  受穴の第三分岐部
５８a  受穴の第三分岐部の内周壁面の傾斜面
５９  受穴の第四分岐部
５９a  受穴の第四分岐部の内周壁面の傾斜面
６０  ロックプレート
６１  ロックプレートの第一分岐片
６１a  識別部シールの貼付用凹部
６２  ロックプレートの第二分岐片
６３a  識別部シールの貼付用凹部
６３  ロックプレートの第三分岐片
６４  ロックプレートの第四分岐片
６５  ロックプレートの識別部
６９  ロックプレートのガイド穴
７０  パッキングプレート
７１  パッキングプレートの貫通穴
７２  パッキングプレートの前面
７３  パッキングプレートの後面
７４  前面の環状リブ
７５  後面の環状リブ
８０  取付対象物
８１  取付対象物の正面パネル
８２  正面パネルの取付穴
８３  正面パネルの前面
９０  六角ナット
９１  ロックプレートの付勢用バネ
９２  バネリング
１００  保護シート
１０１  保護シートの貫通孔
１１０  施錠軸の止め輪
１１１  施錠軸の円周溝
１１２  Ｏ−リング
【図１】
2015098670.tif 000003
【図２】
2015098670.tif 000004
【図３】
2015098670.tif 000005
【図４】
2015098670.tif 000006
【図５】
2015098670.tif 000007
【図６】
2015098670.tif 000008
【図７】
2015098670.tif 000009
【図８】
2015098670.tif 000010
【図９】
2015098670.tif 000011
【図１０】
2015098670.tif 000012
【図１１】
2015098670.tif 000013
【図１２】
2015098670.tif 000014
【図１３】
2015098670.tif 000015
【図１４】
2015098670.tif 000016
【図１５】
2015098670.tif 000017
【図１６】
2015098670.tif 000018
【図１７】
2015098670.tif 000019
【図１８】
2015098670.tif 000020
【図１９】
2015098670.tif 000021
【図２０】
2015098670.tif 000022
【図２１】
2015098670.tif 000023
【図２２】
2015098670.tif 000024
【図２３】
2015098670.tif 000025
【図２４】
2015098670.tif 000026
【図２５】
2015098670.tif 000027
【図２６】
2015098670.tif 000028
【図２７】
2015098670.tif 000029
【図２８】
2015098670.tif 000030
【図２９】
2015098670.tif 000031
【図３０】
2015098670.tif 000032
【図３１】
2015098670.tif 000033
【図３２】
2015098670.tif 000034
【図３３】
2015098670.tif 000035
【図３４】
2015098670.tif 000036
【図３５】
2015098670.tif 000037
【図３６】
2015098670.tif 000038
【図３７】
2015098670.tif 000039
【図３８】
2015098670.tif 000040
【図３９】
2015098670.tif 000041
【図４０】
2015098670.tif 000042
【図４１】
2015098670.tif 000043
【図４２】
2015098670.tif 000044
【図４３】
2015098670.tif 000045
【図４４】
2015098670.tif 000046
【図４５】
2015098670.tif 000047
【図４６】
2015098670.tif 000048
【図４７】
2015098670.tif 000049
【図４８】
2015098670.tif 000050
【図４９】
2015098670.tif 000051
【図５０】
2015098670.tif 000052
【図５１】
2015098670.tif 000053
【手続補正書】
【提出日】平成26年11月4日(2014.11.4)
【手続補正１】
【補正対象書類名】明細書
【補正対象項目名】全文
【補正方法】変更
【補正の内容】
【発明の詳細な説明】
【技術分野】
【０００１】
本発明は、施錠成立後においては鍵部を有するハンドルがハウジングから抜き取られる抜差し型ロックハンドル装置に関するものである。
【背景技術】
【０００２】
このようなロックハンドル装置は、特許第２７２４４５０号公報に示すようによく知られているが、用途によってはハンドルが抜き取られるだけでは不十分な場合がある。
例えば駅ホームの転落防止柵設備では、車両への乗降扉の制御機器収容部の正面パネルにこのタイプのロックハンドル装置が装着されているが、この取付対象物の正面パネルより露出しているハウジングの前端フランジに乗降客の手が触れた時、静電気が飛ぶとの苦情が報告されている。この静電気対策のためにプラスチック製やシリコンゴム製の保護カバーを前端フランジに被せることが、特開２０１２−１５８９６３号公報によって提案されている。
【０００３】
この保護カバーは、前端フランジの前方から被せられて前端フランジの前面部と外周面部を覆う第１部品と、前端フランジの後方から第１部品の外側に嵌められる第２部品とによって構成されている。この第１部品の外周面の後端縁に径内方向に向かって延びる係止突起を設けあり、係止突起と前端フランジとの弾性係合は、係止突起が前端フランジの外周面と後面との交差角部を乗り越えてなされている。即ち、係止突起は、前端フランジの後面側に突出した状態で前端フランジに弾性係合している。
【０００４】
このような抜差し型ロックハンドル装置では、施錠成立後にハンドルがハウジングから抜き取られてしまうので、ハンドル非抜き取り型ロックハンドル装置のようにハンドルの回転位置を手掛かりとして、施錠の成否を確認することができない。
【先行技術文献】
【特許文献】
【０００５】
【特許文献１】特許第２７２４４５０号公報
【特許文献２】特開２０１２−１５８９６３号公報
【発明の概要】
【発明が解決しようとする課題】
【０００６】
解決しようとする問題点は、施錠の成否の確認をどうすれば視認性高く行えるかの点である。
【課題を解決するための手段】
【０００７】
本発明の特徴とするところは、取付対象物の正面パネルの取付穴に嵌められ、操作ハンドルの鍵部が挿入される鍵穴を前端フランジに貫通して設けてあり、前記鍵穴を取り囲む内壁面側に錠止溝を設けある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに弾性係合によって固定され、前記操作ハンドルの前記鍵部が通過する受穴を前壁に貫通して設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネからなり、操作ハンドルの前記鍵部を差し込むことによって前記ロックプレートが軸方向に移動し、前記固定ハウジングに対する前記施錠軸の拘束を解除するようにし、
前記前端フランジの後面に当接する前記ロックプレートの前面先端部に識別部を設け、前記操作ハンドルを回転操作して前記固定ハウジングに対する前記施錠軸の錠止を解除したとき、ロックプレートの前記識別部が前記前端フランジの後面側に隠蔽される一方、前記操作ハンドルを回転操作して前記固定ハウジングに対する前記施錠軸の錠止を実行し、前記操作ハンドルを前記固定ハウジングから抜き取ったとき、前記識別部が前記保護カバーの前記受穴内に露出するようにした抜差し型ロックハンドル装置において、
前記保護カバーの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しており、前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れることである。
【発明の効果】
【０００８】
前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れることを目視することによって、施錠確認を行なうものであるが、本発明では、保護キャップの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しているため、前記ロックプレートに対する操作者や管理者の視野が拡大されることになり、施錠の成否の確認が更に視認性高く確実に行えることになる。
また、保護カバーの受穴と固定ハウジングの鍵穴の内壁面に外開きの傾斜面や傾斜面部を形成してはあるが、上記のように保護カバーの受穴と固定ハウジングの鍵穴自体が施錠確認表示窓を構成しており、施錠確認用表示窓を操作ハンドルの受穴とは別に保護カバーの前壁に設けたり、施錠確認用表示窓を鍵穴とは別や固定ハウジングの前端フランジに設ける必要がないため、機械的強度面における保護カバーの前壁や固定ハウジングの前端フランジの必要以上の脆弱化を招くことがない。
【図面の簡単な説明】
【０００９】
【図１】図１は本発明の一実施例に係る抜差し型ロックハンドル装置の正面    図であり、操作ハンドルがハウジングから抜き取られた施錠成立状態を示している。
【図２】図２は図１のロックハンドル装置の右側面図である。
【図３】図３は図1のロックハンドル装置の背面図である。
【図４】図４は図１のＡ−Ａ線断面図である。
【図５】図５は図１のＢ−Ｂ線断面図であり、保護カバー及びパッキングの全    部と固定ハウジングの一部を断面で示してある。
【図６】図６は図１のロックハンドル装置に用いた固定ハウジングの正面図で    ある。
【図７】図７は図６の固定ハウジングの右側面図である。
【図８】図８は図６の固定ハウジングの背面図である。
【図９】図９は図６のＣ−Ｃ線断面図である。
【図１０】図１０は図６のＤ−Ｄ線断面図である。
【図１１】図１１は図１のロックハンドル装置に用いた施錠軸の正面図である。
【図１２】図１２は図１１の施錠軸の右側面図である。
【図１３】図１３は図１１の施錠軸の背面図である。
【図１４】図１４は図１１のＥ−Ｅ線断面図である。
【図１５】図１５は図１のロックハンドル装置に用いた保護カバーの正面図である。
【図１６】図１６は図１５の保護カバーの背面図である。
【図１７】図１７は図１５のＦ−Ｆ線断面図である。
【図１８】図１８は図１５のＧ−Ｇ線断面図である。
【図１９】図１９は図１６のＨ−Ｈ線断面図である。
【図２０】図２０は図１のロックハンドル装置に用いたパッキングプレートの正面    図である。
【図２１】図２１は図２０のＩ−Ｉ線断面図である。
【図２２】図２２は図１のロックハンドル装置に用いたロックプレートの正面図で    ある。
【図２３】図２３は図２２のロックプレートの底面図である。
【図２４】図２４は図２２のＪ−Ｊ線断面図である。
【図２５】図２５は図１のロックハンドル装置に用いた保護シートの正面図である。
【図２６】図２６は図１のロックハンドル装置に用いた操作ハンドルの右側面図で    ある。
【図２７】図２７は図２６のＫ−Ｋ線断面図である。
【発明を実施するための形態】
【００１０】
前記保護カバーの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有している。前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れる。これによって、施錠の成否の確認を保護カバーの受穴および固定ハウジングの鍵穴を通して視認性高く行なえるようにした。
【実施例１】
【００１１】
図１から図２７に示した実施例では、抜き差し型ロックハンドル装置は、固定ハウジング１０と施錠軸３０と操作ハンドル４０と保護カバー５０とロックプレート６０とパッキング７０を主要構成部品とする。
固定ハウジング１０の円筒状本体１１の外周面にはねじ山１２が形成され、円筒状本体１１の外周面両側には平行直線面部１３が形成され、円筒状本体１１の横断面は小判形状になっている。取付対象物８０の正面パネル８１の取付穴８２は同じく小判形状に貫通して設けられ、固定ハウジング１０は取付穴８２に回転不能に嵌められ、ねじ山１２に嵌められた六角ナット９０によって正面パネル８１にパッキングプレート７０および保護シート１００を介して正面パネル８１に締付け固着されている。保護シート１００は円筒状本体１１が嵌められる小判形状の貫通孔１０１を有する。
【００１２】
このとき、エチレンプロピレンゴム製のパッキングプレート７０は、正面パネル８１の前面８３と固定ハウジング１０の前端フランジ１４の後面１５との間で適度に圧縮され、取付穴８２を経由した取付対象物８０内への水の侵入を防止している。パッキングプレート７０は小判形状の貫通穴７１を包囲して前面７２と後面７３に防水性を高めるための環状リブ７４，７５を設けてある。パッキングプレート７０は締付け時にその略全体が保護カバー５０の短円筒状スカート部５１内に押し込まれ、保護カバー５０及び前端フランジ１４と正面パネル８１の前面８３との間に、工具等が差し込まれる危険性のある引っ込み空間を作ることがない。静電気対策のためにポリカーボネート製とした保護カバー５０は、前端フランジ１４の前面部及び外周面部の全体に被せられる。
操作ハンドル４０の回転主軸４３の先端部には常法に従って鍵部４２が設けられ、鍵部２４は一対の直径方向突起部４２a, ４２b で構成されている。鍵部２４の中央には、施錠軸３０の中心軸３６が入り込む先端穴部４５を設けてある。施錠軸３０の後端角軸部３２には回転角度規制板３３が嵌められており、回転角度規制板３３が回転止め用突起２３，２４に打ち当たることによって、施錠軸３０の回転角度は施錠方向及び開錠方向ともに９０度に規制されている。後端角軸部３２には常法に従って板状の施錠部材３４が嵌められており、平座金３７及びバネ座金３８を介して六角ボルト３５によって施錠軸３０に固着されている。
【００１３】
固定ハウジング１０の前端フランジ１４に設けられた鍵穴２０は十文字状に形成され、上下の第一分岐部２５と第三分岐部２７は、左右の第二分岐部２６と第四分岐部２８よりも長くなっている。固定ハウジング１０内部には、鍵穴２０の延長空間を取り囲むように錠止筒部２１が設けられ、錠止筒部２１には十文字状に４個の錠止溝２２a,２２b,２２c,２２dを設けてある。施錠軸３０は、固定ハウジング１０の円筒状本体１１に回転可能に嵌挿され、常法に従って止め輪１１０によって前後軸方向への移動を阻止されている。常法に従って施錠軸の後部の円周溝１１１にはＯーリング１１２が挿入されている。
施錠軸３０の前半部分は小径軸部３０aと大径軸部３０bとによって構成されており、小径軸部３０aと大径軸部３０bには、９０度間隔を置いて４個の施錠溝３１a,３１b,３１c,３１dを十文字状に設けてある。
施錠軸３０の小径軸部３０aは、固定ハウジング１０の前記錠止筒部２１に嵌め込まれており、錠止筒部２１の前記錠止溝２２a,２２b,２２c,２２aと施錠軸３０の前記小径軸部３０aにある施錠軸３１a,３１b,３１c,３１dは、互いに連通している。
【００１４】
前端フランジ１４には、前端フランジ１４の外周面１６と後面１５との交差角部に前方に向かって凹んでいる上下左右４個の係止溝１７a,１７b,１７c,１７dを９０度間隔で設けてある。上側の係止溝１７aの開き角度と下側の係止溝１７cの開き角度は同じであり、下側の係止溝１７cの中央部には水抜溝１８を設けてある。
保護カバー５０には、短円筒状スカート部５１の内周面の中間位置に同一直径方向に上方１個の係止突起５２aと下方２個の係止突起５２b,５２cが設けられ、さらに、前者より９０度の間隔を置いて、右方に２個の係止突起５２d,５２e、左方に２個の係止突起５２f,５２gを設けてある。上側１個の係止溝１７aに上側１個の係止突起５２aが弾性係合し、下側１個係止溝１７bに下側２個の係止突起５２b,５２cが弾性係合し、右側１個の係止溝１７cに右側２個の係止突起５２d,５２eが弾性係合し、左側１個の係止溝１７dに左側の２個の係止突起５２f,５２gがそれぞれ弾性係合することによって、保護カバー５０の受穴５５と固定ハウジング１０の鍵穴２０の位相を相互に合致させた状態において、保護カバー５０が前端フランジ１４に固定される。下側の係止突起５２d,５２eの間には水抜き用切欠５３が設けられている。実施例１と比較して、係止溝および係止突起の設置数が増加しているため、保護カバー５０は固定ハウジング１０により堅固に装着される。
【００１５】
円筒状本体１１の後端面には、常法に従って二個の回転止め用突起２３，２４が設けられている、施錠軸３０の後端角軸部３２には回転角度規制板３３が嵌められており、回転角度規制板３３が回転止め用突起２３，２４に打ち当たることによって、施錠軸３０の回転角度は施錠方向及び開錠方向ともに９０度に規制されている。後端角軸部３２には常法に従って板状の施錠部材３４が嵌められており、平座金３７とバネ座金３８を介して六角ボルト３５によって施錠軸３０に固着されている。
固定ハウジング１０の円筒状本体１１内には、十文字状のロックプレート６０が嵌挿されている。ロックプレート６０の４個の分岐片６１，６２，６３，６４の内、上側の第一分岐片６１と下側の第三分岐片６３は、右側の第二分岐片６２および左側の第四分岐片６４よりも長くなっている。操作ハンドル４０の鍵部４１を抜き取った状態においては、ロックプレート６０の第一分岐片６１と第三分岐片６３は、固定ハウジング１０の前記錠止筒部２１の錠止溝２２a, ２２cと施錠軸３０の前記小径軸部３０aにある施錠溝３１a,３１cに係合することによって、施錠軸３０を固定ハウジング１０に対して回転不能に錠止している。ロックプレート６０は施錠軸３０に装着した圧縮コイルバネよりなるバネ部材９１によって、前端フランジ１４の後面に向かって移動付勢されている。
【００１６】
操作ハンドル４０の鍵部４１の上下２個の直径方向突起部４２a, ４２bの内、上方の直径方向突起部４２a を保護カバー５０の受穴５５の第一分岐部５６と前端フランジ１４の鍵穴２０の第一分岐部２５に位置合わせする一方、操作ハンドル４０の鍵部４１の下方の直径方向突起部４２b を保護カバー５０の受穴５５の第三分岐部５８と前端フランジ１４の鍵穴２０の第三分岐部２５に位置合わせして、操作ハンドル４０の鍵部４１を固定ハウジング１０に所定深さまで差し込むと、ロックプレート６０が鍵部２１に押されて軸方向に移動し、ロックプレート６０の第一分岐片６２と第三分岐片６３が固定ハウジング１０の錠止筒部２１の錠止溝２２a,溝２２cと施錠軸３０の前記小径軸部３０aにある施錠軸３１a,３１cから押し出されて、施錠軸３０の前記大径軸部３０bにある施錠溝３１aと施錠溝３１cに押し込まれる。これによって、固定ハウジング１０に対する施錠軸３０の錠止が解除される。前記所定の深さまでとは、図示の実施例では、操作ハンドル４０の回転主軸４３の位置決めリング部４４が保護カバー５０の前壁５４に突き当たるまでである。
この状態において操作ハンドル４０を９０度解錠方向に回すと、ロックプレート６０の各分岐片６１，６２，６３，６４の側面が施錠軸３０の各施錠溝３１a, ３１b, ３１c, ３１dの内壁面を押すため、施錠軸３０が回転させられる。これにより、施錠部材３４は解錠位置まで回され、取付対象物８０の固定枠体に対する正面パネル８１の錠止が解除される。
【００１７】
ロックプレート６０には、固定ハウジング１０の前端フランジ１４の後面に隠れる位置に識別部６５を設けてある。本実施例では、第一分岐片６１と第三分岐片６３の先端部前面に設けてある。ロックプレート６０の上下一対の分岐片６１, ６３は左右一対の分岐片６２，６４よりも長くなっている。ロックプレート６０の中心部には、施錠軸３０の中心部３６が挿入されるガイド穴６９を貫通して設けてある。
操作ハンドル４０を回転操作して固定ハウジング１０に対する施錠軸３０の錠止を実行したとき、ロックプレート６０の前記識別部６５が前端フランジ１４の後面側に隠蔽される一方、操作ハンドル４０を抜き取って、ロックプレート６０によって施錠軸３０を固定ハウジング１０に対して錠止したとき、ロックプレート６０の識別部６５が前端フランジの鍵穴２０及び保護カバー５０の受穴５６内に見える。
保護カバー５０の受穴５５は前壁５４の中央部に前後に貫通して設けられ、保護カバー５０の十文字状の受穴５６と固定ハウジング１０の十文字状の鍵穴２０は常に互いに整合した位置に保持されている。受穴５６は保護カバー５０の前壁５４の中央部に貫通して設けられている。鍵穴２０は前端フランジ１４の中央部に前後に貫通して設けられている。十文字状の鍵穴２０は９０度の角度を置いて配置された上下左右４個の分岐部２５，２６，２７，２８で構成されている。鍵穴２０の上下一対の分岐部２５,２７の長さは、左右一対の分岐部２６，２８よりも長くなっている。
鍵穴２０の第一分岐部２５の相隣接する三つの内周壁面には、前端フランジ１４の前面１４aと約１３５度で交叉する傾斜面部２５aが形成されている。鍵穴２０の第二分岐部２６の相隣接する三つの内周壁面には、前端フランジ１４の前面１４aと約１３５度で交叉する傾斜面部２６aが形成されている。鍵穴２０の第三分岐部２７の相隣接する三つの内周壁面には、前端フランジ１４の前面１４aと約１３５度で交叉する傾斜面部２７aが形成されている。鍵穴２０の第四分岐部２８の相隣接する三つの内周壁面には、前端フランジ１４の前面１４aと約１３５度で交叉する傾斜面部２８aが形成されている。
【００１８】
十文字状の受穴５５は９０度の角度を置いて配置された上下左右４個の分岐部５６，５７，５８，５９で構成されている。受穴５５の上下一対の分岐部５６，５８の長さは、上下一対の分岐部５７，５９よりも長くなっている。
受穴５５の第一分岐部５６の相隣接する三つの内周壁面には、前壁５４の前面５４aと約１３５度で交叉する傾斜面５６aが、前壁５４の全肉厚にわたって形成されている。受穴５５の第二分岐部５７の相隣接する三つの内周壁面には、前壁５４の前面５４aと約１３５度で交叉する傾斜面５７aが、前壁５４の全肉厚にわたって形成されている。受穴５５の第三分岐部５８の相隣接する三つの内周壁面には、前壁５４の前面５４aと約１３５度で交叉する傾斜面部５８が、前壁５４の全肉厚にわたって形成されている。受穴５５の第四分岐部５９の相隣接する三つの内周壁面には、前壁５４の前面５４aと約１３５度で交叉する傾斜面部５９aが、前壁５４の全肉厚にわたって形成されている。
鍵穴２０の前記した４個の傾斜面部２５a，２６a，２７a，２８aは、受穴５５の前記した４個の傾斜面５６a，５７a，５８a，５９aの延長線上にあるか、延長線より少し引きこんだ位置にある。これはロックプレート６０の識別部６５への視野を広く確保するためである。
固定ハウジング１０の円筒状本体１１に後方より嵌合されるパッキングプレート７０の前面７２にある環状リブ７４は、係止突起５２a, ５２b, ５２c, ５２d, ５２e, ５２f，５２gの後面部を押しており、前記係止突起と前記係止溝の係合を強化している。
【００１９】
この位置においては、操作ハンドル４０の前記直径方向突起部４２a,４２bが前端フランジ１４の裏面側に位置しているため、操作ハンドル４０の鍵部４１を固定ハウジング１０の鍵穴２０から抜き取れない。そこで、操作ハンドル４０を手前に引くことによって取付対象物８０の正面パネル８１を開放操作することができる。取付対象物８０内の収納機器に対する所要の処理を実行した後、正面パネル８１を閉鎖操作し、最後に操作ハンドル４０に９０度逆に回すと、施錠部材３４によって正面パネル８１は取付対象物８０に再び錠止される。
この位置においては、施錠軸３０の各施錠溝３１a, ３１b, ３１c, ３１d が固定ハウジング１０の各錠止溝３１a, ３１b, ３１c, ３１d と正対しているため、ロックプレート６０は前端フランジ１４に向って移動し、第一分岐片６１と第三分岐片６３が、施錠軸３０の小径軸部３０aにおいて、固定ハウジング１０の錠止溝２２a,２２ｃと係合する。
【００２０】
本実施例では、ロックプレート６０の第一分岐片６１と第三分岐片６３の先端部前面に凹部６１a, ６３aが設けられ、これら凹部底面に識別部６５となる有色シールが貼付けられている。
尚、ロックプレート６０は２枚の構成材の張り合わせ構造とし、後ろ側の構成材の両端部を前側の構成材より突出させて、これら突出端部前面に着色識別部を焼き付けることもできる。単に上記分岐片の先端部前面に塗料を付して識別部を設けた場合には、長年使用した場合、識別部が磨滅して、初期の識別機能を喪失する恐れがある。
本実施例では、凹部６１a, ６３aの底面に有色シールを貼り付けたので、識別部６５は磨滅に対して強い。また、後ろ側の構成材の色を前側の構成材や周囲の構成部品すなわち固定ハウジング１０や保護カバー５０とは別異の色とし、これ自体を識別手段としたときには、磨滅という経年変化による識別機能の喪失がない。
【００２１】
操作ハンドル６０を所定深さまで差し込んで解錠方向に９０度回転操作したとき、回転終端において、ロックプレート６０の第１分岐片６１と第三分岐片６３の各識別部６５が前端フランジ１４の後面側に隠蔽される。
操作ハンドル６０を施錠方向に９０度逆に回転操作すると、回転終端において、施錠軸３０の四つの施錠溝３１a, ３１b, ３１c, ３１d が固定ハウジング１０の四つの錠止溝２２a, ２２b, ２２c, ２２d に正対する位置に戻る。この施錠位置において、操作ハンドル４０を固定ハウジング１０から引き抜くとき、操作ハンドル４０の鍵部４１の直径方向突起部４２a, ４２bは、固定ハウジング１０の鍵穴２０の第一分岐部２６と第三分岐部２８を通過する。操作ハンドル６０を固定ハウジング１０の鍵穴２０及び保護カバー５０の受穴５５から抜き取ると、バネ部材９１の移動付勢によって前端フランジ１４の後面に向かって前進し、ロックプレート６０の第一分岐片６１と第三分岐片６３が固定ハウジング１０の前記錠止筒部２１の錠止溝２２a,２２cと施錠軸３０の前記小径軸部３０aの施錠溝３１a,３１cに係合するため、施錠軸３０は固定ハウジング１０に対して再び錠止される。
【００２２】
このように固定ハウジング１０に対する施錠軸３０の錠止を実行して、操作ハンドル６０の鍵部４１を固定ハウジング１０の鍵穴２０及び保護カバー５０の受穴５５から抜き取るとき、ロックプレート６０の前記した分岐片６１，６３の識別部６５は、前端フランジ１４の後面側から出て、固定ハウジング１０の鍵穴２０および保護カバー５０の受穴５５の直後に露出される。この露出した識別部６５によって、ロックハンドル装置の操作者ないしは管理者は、施錠軸３０が正規の施錠位置まで正確に戻されたことを確認できる。
【００２３】
これら識別部６５は、解錠位置において固定ハウジング１０の前端フランジ１４の後面に押し当てられているロックプレート６０の前面に形成されており、前端フランジ１４の前後方向肉厚と保護カバー５０の前壁５４の前後方向肉厚の合計に相当する距離を置いて露出しているため、視認性に優れており、施錠の成否確認を間違いなく行なえる。
このように識別部６５を有する上下一対の分岐片６１，６３が鍵穴２０と前後に位置を合わせるため、ロックプレート６０が鍵穴２０から抜け出ないように、ロックプレート６０の各分岐片６１，６２，６３，６４は、鍵穴２０の各分岐部２５，２６，２７，２８よりも一回り大きく形成されている。
【００２４】
本実施例では、前端フランジ１４の前記係止溝１７a，１７b, １７c, １７dは、前端フランジ１４の外周面１６と後面１５との交差角部に前方に向かって凹んで設けられており、保護カバー５０の前記係止突起５２a，５２b, ５２c, ５２d,５２e, ５２f, ５２gは、保護カバー５０の内周面中間部に径内方向に向かって延びるように設けられているため、保護カバー５０を含めて前端フランジ１４の正面パネル８１前方への突出量は、極限まで減少させることができ、例えば駅ホームの転落防止柵設備の制御機器収容部の正面パネル８１にこのロックハンドル装置に取付けたとき、混雑するホームで乗降客が保護カバーに物理的に接触する危険性を低下させることができる。
【００２５】
また、本実施例では、前記係止突起を保護カバー５０の内周面の前後方向の中間部に設け、前記係止溝を前端フランジ１４の外周面後端部に設け、固定ハウジング１０に嵌めたパッキング７０の前面縁部によって、保護カバー５０の係止突起５２，５３を押し当てるようにしたので、保護カバー５０と正面パネル８０との間に工具等を差し込める引っ込み空間を作ることがなく、工具等を突き入れによって保護カバー５０を破壊したり、前端フランジ１４から保護カバー５０を取り去ることができない。
【符号の説明】
【００２６】
１０  固定ハウジング
１１  固定ハウジングの円筒状本体
１２  円筒状本体のねじ山
１３  円筒状本体の平行直線面部
１４  固定ハウジングの前端フランジ
１５  前端フランジの後面
１６  前端フランジの外周面
１７a  前端フランジの係止溝
１７b  前端フランジの係止溝
１７c  前端フランジの係止溝
１７d  前端フランジの係止溝
１８  前端フランジの水抜き溝
２０  固定ハウジングの鍵穴
２１  固定ハウジングの錠止筒部
２２a  固定ハウジングの錠止溝
２２b  固定ハウジングの錠止溝
２２c  固定ハウジングの錠止溝
２２d  固定ハウジングの錠止溝
２３  円筒状本体の回転止め用突起
２４  円筒状本体の回転止め用突起
２５  鍵穴の第一分岐穴部
２５a  鍵穴の第一分岐部の内周壁面の斜面部
２６  鍵穴の第二分岐部
２６a  鍵穴の第二分岐部の内周壁面の斜面部
２７  鍵穴の第三分岐部
２７a  鍵穴の第三分岐部の内周壁面の斜面部
２８  鍵穴の第四分岐部
２８a  鍵穴の第四分岐部の内周壁面の斜面部
３０  施錠軸
３１a  施錠軸の施錠溝
３１b  施錠軸の施錠溝
３１c  施錠軸の施錠溝
３１d  施錠軸の施錠溝
３２  施錠軸の後端角軸部
３３  回転角度規制板
３４  施錠部材
３５  六角ボルト
３６  施錠軸の中心軸
３７  平座金
３８  バネ座金
４０  操作ハンドル
４１  操作ハンドルの鍵部
４２a  鍵部の直径方向突起部
４２b  鍵部の直径方向突起部
４３  操作ハンドルの回転主軸
４４  回転主軸の位置決めリング部
４５  回転主軸の先端穴部
５０  保護カバー
５１  保護カバーの短円筒状スカート部
５２a  保護カバーの係止突起
５２b  保護カバーの係止突起
５２c  保護カバーの係止突起
５２d  保護カバーの係止突起
５２e  保護カバーの係止突起
５２f  保護カバーの係止突起
５２g  保護カバーの係止突起
５３  保護カバーの水抜き用切欠
５４  保護カバーの前壁
５４a  前壁の前面
５５  保護カバーの受穴
５６  受穴の第一分岐部
５６a  受穴の第一分岐部の内周壁面の傾斜面 
５７  受穴の第二分岐部
５７a  受穴の第二分岐部の内周壁面の傾斜面
５８  受穴の第三分岐部
５８a  受穴の第三分岐部の内周壁面の傾斜面
５９  受穴の第四分岐部
５９a  受穴の第四分岐部の内周壁面の傾斜面
６０  ロックプレート
６１  ロックプレートの第一分岐片
６１a  識別部シールの貼付用凹部
６２  ロックプレートの第二分岐片
６３a  識別部シールの貼付用凹部
６３  ロックプレートの第三分岐片
６４  ロックプレートの第四分岐片
６５  ロックプレートの識別部
６９  ロックプレートのガイド穴
７０  パッキングプレート
７１  パッキングプレートの貫通穴
７２  パッキングプレートの前面
７３  パッキングプレートの後面
７４  前面の環状リブ
７５  後面の環状リブ
８０  取付対象物
８１  取付対象物の正面パネル
８２  正面パネルの取付穴
８３  正面パネルの前面
９０  六角ナット
９１  ロックプレートの付勢用バネ
９２  バネリング
１００  保護シート
１０１  保護シートの貫通孔
１１０  施錠軸の止め輪
１１１  施錠軸の円周溝
１１２  Ｏ−リング  
【手続補正２】
【補正対象書類名】特許請求の範囲
【補正対象項目名】全文
【補正方法】変更
【補正の内容】
【特許請求の範囲】
【請求項１】
取付対象物の正面パネルの取付穴に嵌められ、操作ハンドルの鍵部が挿入される鍵穴を前端フランジに貫通して設けてあり、前記鍵穴を取り囲む内壁面側に錠止溝を設けある固定ハウジングと、前記固定ハウジングに回転可能に嵌挿されており、前面部に前記錠止溝と連通可能な施錠溝を設け、後部に施錠部材が連結される施錠軸と、前記前端フランジの前面部及び外周面部の全体に被せて前記前端フランジに弾性係合によって固定され、前記操作ハンドルの前記鍵部が通過する受穴を前壁に貫通して設けた静電気対策用の保護カバーと、前記施錠軸と前記前端フランジとの間において前記ハウジングに嵌挿され、固定ハウジングの前記錠止溝と施錠軸の前記施錠溝にまたがって係合することによって、前記施錠軸を前記固定ハウジングに対して回転不能に拘束するロックプレートと、前記ロックプレートを前記前端フランジに向かって摺動付勢するバネからなり、操作ハンドルの前記鍵部を差し込むことによって前記ロックプレートが軸方向に移動し、前記固定ハウジングに対する前記施錠軸の拘束を解除するようにし、
前記前端フランジの後面に当接する前記ロックプレートの前面先端部に識別部を設け、前記操作ハンドルを回転操作して前記固定ハウジングに対する前記施錠軸の錠止を解除したとき、ロックプレートの前記識別部が前記前端フランジの後面側に隠蔽される一方、前記操作ハンドルを回転操作して前記固定ハウジングに対する前記施錠軸の錠止を実行し、前記操作ハンドルを前記固定ハウジングから抜き取ったとき、前記識別部が前記保護カバーの前記受穴内に露出するようにした抜差し型ロックハンドル装置において、
前記保護カバーの前記受穴の内周壁面を、軸方向後端から軸方向前端に向う程外側に開いた傾斜面に形成するとともに、前端フランジの前記鍵穴の内周壁面が、軸方向後端から軸方向前端に向う程外側に開いた傾斜面部または傾斜面を、前記受穴の前記傾斜面の延長線上ないし前記延長線に接近した線上に有しており、前記操作ハンドルの抜き取りによって前記施錠軸を前記固定ハウジングに対し錠止したとき、前記ロックプレートの前面先端部に設けた識別部が前端フランジの前記鍵穴及び保護カバーの前記受穴内に現れるようにしたことを特徴とする抜差し型ロックハンドル装置。
【手続補正３】
【補正対象書類名】図面
【補正対象項目名】全図
【補正方法】変更
【補正の内容】
【図１】
2015098670.tif 000054
【図２】
2015098670.tif 000055
【図３】
2015098670.tif 000056
【図４】
2015098670.tif 000057
【図５】
2015098670.tif 000058
【図６】
2015098670.tif 000059
【図７】
2015098670.tif 000060
【図８】
2015098670.tif 000061
【図９】
2015098670.tif 000062
【図１０】
2015098670.tif 000063
【図１１】
2015098670.tif 000064
【図１２】
2015098670.tif 000065
【図１３】
2015098670.tif 000066
【図１４】
2015098670.tif 000067
【図１５】
2015098670.tif 000068
【図１６】
2015098670.tif 000069
【図１７】
2015098670.tif 000070
【図１８】
2015098670.tif 000071
【図１９】
2015098670.tif 000072
【図２０】
2015098670.tif 000073
【図２１】
2015098670.tif 000074
【図２２】
2015098670.tif 000075
【図２３】
2015098670.tif 000076
【図２４】
2015098670.tif 000077
【図２５】
2015098670.tif 000078
【図２６】
2015098670.tif 000079
【図２７】
2015098670.tif 000080